(57)【要約】【課題】  回路構成の簡略化を図りつつ、アナログテレビジョン放送とデジタルテレビジョン放送との両者を受信できるようにする。【解決手段】  アナログ／デジタル共用チューナ２は、同一チャンネルについて中心周波数を一定に維持したまま、アナログ方式のテレビジョン信号およびデジタル方式のテレビジョン信号の選局を共通に行うとともに、デジタル方式のテレビジョン信号の受信帯域は、地上デジタル放送の１〜３セグメント分に対応させ、アナログ用ＳＡＷフィルタ３にてデジタル放送の第１中間周波信号のフィルタ処理を行うことにより、デジタル放送における隣接チャンネル妨害を除去する。【選択図】      図１
2007082053.tif 000002
【特許請求の範囲】
【請求項１】
同一チャンネルについて中心周波数を一定に維持したまま、アナログ方式のテレビジョン信号およびデジタル方式のテレビジョン信号の選局を共通に行うチューナと、
前記チューナの後段に接続され、前記アナログ方式のテレビジョン信号に対応して減衰特性が設定されたアナログ用ＳＡＷフィルタと、
前記アナログ用ＳＡＷフィルタを通過したアナログ方式のテレビジョン信号の検波処理を行う検波回路と、
前記アナログ用ＳＡＷフィルタを通過したデジタル方式のテレビジョン信号の復調処理を行う復調部とを備えることを特徴とする受信装置。
【請求項２】
前記アナログ用ＳＡＷフィルタの通過帯域の一部に対応させて前記デジタル方式のテレビジョン信号の受信帯域が設定されていることを特徴とする請求項１記載の受信装置。
【請求項３】
前記デジタル方式のテレビジョン信号の受信帯域は地上デジタル放送の１〜３セグメント分に対応していることを特徴とする請求項２記載の受信装置。
【請求項４】
前記デジタル方式のテレビジョン信号の受信帯域は、前記アナログ用ＳＡＷフィルタの減衰特性および位相特性の平坦な部分に対応するように設定することを特徴とする請求項３記載の受信装置。
【請求項５】
前記チューナに設けられ、第１局部発振信号を生成する第１局部発振器と、
前記チューナに設けられ、前記第１局部発振信号を受信信号に混合することにより、前記受信信号を第１中間周波信号に変換する第１混合器と、
第２局部発振信号を生成する第２局部発振器と、
前記アナログ用ＳＡＷフィルタと前記復調部との間に設けられ、前記第２局部発振信号を前記第１中間周波信号に混合することにより、前記第１中間周波信号を第２中間周波信号に変換する第２混合器とを備えることを特徴とする請求項１から４のいずれか１項記載の受信装置。
【請求項６】
同一チャンネルについて中心周波数を一定に維持したまま、アナログ方式のテレビジョン信号およびデジタル方式のテレビジョン信号の選局を共通に行うチューナと、
前記チューナの後段に接続され、前記デジタル方式のテレビジョン信号に対応して減衰特性が設定されたデジタル用ＳＡＷフィルタと、
前記デジタル用ＳＡＷフィルタを通過したアナログ方式のテレビジョン信号の検波処理を行う検波回路と、
前記デジタル用ＳＡＷフィルタを通過したデジタル方式のテレビジョン信号の復調処理を行う復調部とを備えることを特徴とする受信装置。
【請求項７】
前記デジタル用ＳＡＷフィルタの後段に設けられ、前記アナログ方式のテレビジョン信号の音声キャリアを減衰させる音声トラップをさらに備えることを特徴とする請求項６記載の受信装置。
【請求項８】
前記デジタル用ＳＡＷフィルタの通過帯域の一部に対応させて前記デジタル方式のテレビジョン信号の受信帯域が設定されていることを特徴とする請求項６または７記載の受信装置。
【請求項９】
前記デジタル方式のテレビジョン信号の受信帯域は地上デジタル放送の１〜３セグメント分に対応していることを特徴とする請求項８記載の受信装置。
【請求項１０】
前記チューナに設けられ、第１局部発振信号を生成する第１局部発振器と、
前記チューナに設けられ、前記第１局部発振信号を受信信号に混合することにより、前記受信信号を第１中間周波信号に変換する第１混合器と、
第２局部発振信号を生成する第２局部発振器と、
前記デジタル用ＳＡＷフィルタと前記復調部との間に設けられ、前記第２局部発振信号を前記第１中間周波信号に混合することにより、前記第１中間周波信号を第２中間周波信号に変換する第２混合器とを備えることを特徴とする請求項６から９のいずれか１項に記載の受信装置。
【発明の詳細な説明】
【技術分野】
【０００１】
本発明は受信装置に関し、特に、デジタル方式のテレビジョン信号と、アナログ方式のテレビジョン信号との双方を受信可能なテレビジョン受信機に適用して好適なものである。
【背景技術】
【０００２】
デジタルＣＳ（Ｃｏｍｍｕｎｉｃａｔｉｏｎ  Ｓａｔｅｌｌｉｔｅ）放送やＢＳ（Ｂｒｏａｄｃａｓｔ  Ｓａｔｅｌｌｉｔｅ）放送、デジタル地上波放送等、テレビジョン放送のデジタル化が進められてきており、アナログのテレビジョン放送からデジタルのテレビジョン放送への移行が進められている。
一方、テレビジョン放送のデジタル化が進められても、既存のアナログのテレビジョン放送を直ちに停止することにはならず、アナログのテレビジョン放送からデジタルのテレビジョン放送へ移行する過渡期においては、アナログのテレビジョン放送とデジタルのテレビジョン放送とが共存することになる。
【０００３】
このため、アナログのテレビジョン放送とデジタルのテレビジョン放送との双方が行われるような場合には、アナログテレビジョン放送とデジタルテレビジョン放送との両者が受信できるテレビジョン受像機が要望される。ここで、下側隣接アナログ放送の音声信号の妨害を軽減するため、アナログ放送とデジタル放送ではチャンネルの中心周波数が異なる。すなわち、デジタル放送ではアナログ放送に比べて１／７ＭＨｚだけ上側に中心周波数がシフトしている。例えば、１３ｃｈの場合、アナログ放送の中心周波数が４７３ＭＨｚであるのに対し、デジタル放送では中心周波数が４７３＋１／７ＭＨｚである
一方、特許文献１には、アナログテレビジョン放送とデジタルテレビジョン放送との両者が受信できるテレビジョン受像機において、デジタル放送受信時には選局用の局部発振周波数を自動的に１／７ＭＨｚだけシフトさせて受信する方法が開示されている。また、特許文献２には、アナログテレビジョン放送とデジタルテレビジョン放送との両者が受信できるテレビジョン受信装置において、デジタル放送受信時には、選局用の局部発振周波数を１／７ＭＨｚだけシフトさせるとともに、アナログ放送受信時には、選局用の局部発振周波数をシフトさせないようにして、隣接チャンネルへの妨害を軽減するための隣接チャンネルに対する音声トラップを挿入する方法が開示されている。
【特許文献１】特開２００１−２８５０３２号公報
【特許文献２】特開２００４−３５６８１１号公報
【発明の開示】
【発明が解決しようとする課題】
【０００４】
しかしながら、特許文献１、２に開示された方法では、デジタル放送では６ＭＨｚステップでチャンネルが切り替わるため、各チャンネルごとに１／７ＭＨｚだけ中心周波数をシフトさせることが必要になり、回路構成が複雑化するとともに、アナログ放送とデジタル放送の選局システムを共通化できないという問題があった。
そこで、本発明の目的は、回路構成の簡略化を図りつつ、アナログテレビジョン放送とデジタルテレビジョン放送との両者を受信することが可能な受信装置を提供することである。
【課題を解決するための手段】
【０００５】
上述した課題を解決するために、本発明の一態様に係る受信装置によれば、同一チャンネルについて中心周波数を一定に維持したままアナログ方式のテレビジョン信号およびデジタル方式のテレビジョン信号の選局を共通に行うチューナと、前記チューナの後段に接続され、前記アナログ方式のテレビジョン信号に対応して減衰特性が設定されたアナログ用ＳＡＷフィルタと、前記アナログ用ＳＡＷフィルタを通過したアナログ方式のテレビジョン信号の検波処理を行う検波回路と、前記アナログ用ＳＡＷフィルタを通過したデジタル方式のテレビジョン信号の復調処理を行う復調部とを備えることを特徴とする。
【０００６】
これにより、デジタル放送受信時に選局用の局部発振周波数をシフトさせることなく、アナログテレビジョン放送とデジタルテレビジョン放送との両者を受信することが可能となる。このため、アナログテレビジョン放送とデジタルテレビジョン放送の選局システムを共通化することができ、アナログテレビジョン放送とデジタルテレビジョン放送との両者を受信できるようにした場合においても、回路規模の増大を抑制することが可能となる。
【０００７】
また、本発明の一態様に係る受信装置によれば、前記アナログ用ＳＡＷフィルタの通過帯域の一部に対応させて前記デジタル方式のテレビジョン信号の受信帯域が設定されていることを特徴とする。
これにより、デジタル方式のテレビジョン信号についてのフィルタ処理を行う際に、アナログ用ＳＡＷフィルタの位相特性の平坦な部分を用いることができる。このため、アナログ用ＳＡＷフィルタの位相特性に乱れがある場合においても、デジタル方式のテレビジョン信号の特性が劣化することを抑制することができ、アナログ用ＳＡＷフィルタとデジタル用ＳＡＷフィルタとを共通化することを可能として、回路規模の増大を抑制することが可能となる。
【０００８】
また、本発明の一態様に係る受信装置によれば、前記デジタル方式のテレビジョン信号の受信帯域は地上デジタル放送の１〜３セグメント分に対応していることを特徴とする。
これにより、地上デジタル放送の受信帯域を４３０ｋＨｚ〜１．３ＭＨｚ程度の範囲内に収めることができる。このため、デジタル方式のテレビジョン信号についてのフィルタ処理を行う際に、アナログ用ＳＡＷフィルタの位相特性の平坦な部分を用いることができ、デジタル方式のテレビジョン信号の特性が劣化することを抑制しつつ、アナログ用ＳＡＷフィルタとデジタル用ＳＡＷフィルタとを共通化することができる。
【０００９】
また、本発明の一態様に係る受信装置によれば、前記デジタル方式のテレビジョン信号の受信帯域は、前記アナログ用ＳＡＷフィルタの減衰特性および位相特性の平坦な部分に対応するように設定することを特徴とする。
これにより、音声信号が映像信号に及ぼす影響が軽減されるようにアナログ用ＳＡＷフィルタの減衰特性を設定することが可能となるとともに、デジタル方式のテレビジョン信号についてのフィルタ処理をアナログ用ＳＡＷフィルタにて行った場合においても、デジタル方式のテレビジョン信号の特性が劣化することを抑制することができ、アナログ用ＳＡＷフィルタとデジタル用ＳＡＷフィルタとを共通化することができる。
【００１０】
また、本発明の一態様に係る受信装置によれば、前記チューナに設けられ、第１局部発振信号を生成する第１局部発振器と、前記チューナに設けられ、前記第１局部発振信号を受信信号に混合することにより、前記受信信号を第１中間周波信号に変換する第１混合器と、第２局部発振信号を生成する第２局部発振器と、前記アナログ用ＳＡＷフィルタと前記復調部との間に設けられ、前記第２局部発振信号を前記第１中間周波信号に混合することにより、前記第１中間周波信号を第２中間周波信号に変換する第２混合器とを備えることを特徴とする。
【００１１】
これにより、アナログテレビジョン放送とデジタルテレビジョン放送との両者を受信できる受信機において、デジタル方式のテレビジョン信号についてのフィルタ処理を行うためにアナログ用ＳＡＷフィルタを用いた場合においても、ダブルスーパー方式のスーパーヘテロダイン受信を行うことが可能となり、デジタルテレビジョン放送についての第２中間周波信号を所望の周波数に設定することができる。
【００１２】
また、本発明の一態様に係る受信装置によれば、同一チャンネルについて中心周波数を一定に維持したまま、アナログ方式のテレビジョン信号およびデジタル方式のテレビジョン信号の選局を共通に行うチューナと、前記チューナの後段に接続され、前記デジタル方式のテレビジョン信号に対応して減衰特性が設定されたデジタル用ＳＡＷフィルタと、前記デジタル用ＳＡＷフィルタを通過したアナログ方式のテレビジョン信号の検波処理を行う検波回路と、前記デジタル用ＳＡＷフィルタを通過したデジタル方式のテレビジョン信号の復調処理を行う復調部とを備えることを特徴とする。
【００１３】
これにより、デジタル放送受信時に選局用の局部発振周波数をシフトさせることなく、アナログテレビジョン放送とデジタルテレビジョン放送との両者を受信することが可能となる。このため、アナログテレビジョン放送とデジタルテレビジョン放送の選局システムを共通化することができ、アナログテレビジョン放送とデジタルテレビジョン放送との両者を受信できるようにした場合においても、回路規模の増大を抑制することが可能となる。
【００１４】
また、本発明の一態様に係る受信装置によれば、前記デジタル用ＳＡＷフィルタの後段に設けられ、前記アナログ方式のテレビジョン信号の音声キャリアを減衰させる音声トラップをさらに備えることを特徴とする。
これにより、アナログ方式のテレビジョン信号についてのフィルタ処理を行うためにデジタル用ＳＡＷフィルタを用いた場合においても、音声信号が映像信号に及ぼす影響が軽減されるように減衰特性を設定することが可能となり、映像信号の品質の劣化を抑制することができる。
【００１５】
また、本発明の一態様に係る受信装置によれば、前記デジタル用ＳＡＷフィルタの通過帯域の一部に対応させて前記デジタル方式のテレビジョン信号の受信帯域が設定されていることを特徴とする。
これにより、デジタル方式のテレビジョン信号についてのフィルタ処理を行う際に、アナログ用ＳＡＷフィルタの位相特性の平坦な部分を用いることができる。このため、アナログ用ＳＡＷフィルタの位相特性に乱れがある場合においても、デジタル方式のテレビジョン信号の特性が劣化することを抑制することができ、アナログ用ＳＡＷフィルタとデジタル用ＳＡＷフィルタとを共通化することを可能として、回路規模の増大を抑制することが可能となる。
【００１６】
また、本発明の一態様に係る受信装置によれば、記デジタル方式のテレビジョン信号の受信帯域は地上デジタル放送の１〜３セグメント分に対応していることを特徴とする。
これにより、地上デジタル放送の受信帯域を４３０ｋＨｚ〜１．３ＭＨｚ程度の範囲内に収めることができる。このため、デジタル方式のテレビジョン信号についてのフィルタ処理を行う際に、アナログ用ＳＡＷフィルタの位相特性の平坦な部分を用いることができ、デジタル方式のテレビジョン信号の特性が劣化することを抑制しつつ、アナログ用ＳＡＷフィルタとデジタル用ＳＡＷフィルタとを共通化することができる。
【００１７】
また、本発明の一態様に係る受信装置によれば、前記チューナに設けられ、第１局部発振信号を生成する第１局部発振器と、前記チューナに設けられ、前記第１局部発振信号を受信信号に混合することにより、前記受信信号を第１中間周波信号に変換する第１混合器と、第２局部発振信号を生成する第２局部発振器と、前記デジタル用ＳＡＷフィルタと前記復調部との間に設けられ、前記第２局部発振信号を前記第１中間周波信号に混合することにより、前記第１中間周波信号を第２中間周波信号に変換する第２混合器とを備えることを特徴とする。
【００１８】
これにより、アナログテレビジョン放送とデジタルテレビジョン放送との両者を受信できる受信機において、アナログ方式のテレビジョン信号についてのフィルタ処理を行うためにデジタル用ＳＡＷフィルタを用いた場合においても、ダブルスーパー方式のスーパーヘテロダイン受信を行うことが可能となり、デジタルテレビジョン放送についての第２中間周波信号を所望の周波数に設定することができる。
【発明を実施するための最良の形態】
【００１９】
以下、本発明の実施形態に係る受信装置について図面を参照しながら説明する。
図１は、本発明の第１実施形態に係る受信装置の概略構成を示すブロック図である。
図１において、受信装置には、デジタル方式のテレビジョン放送およびアナログ方式のテレビジョン放送の電波を受信するアンテナ１、アナログ方式のテレビジョン信号およびデジタル方式のテレビジョン信号の選局を行うアナログ／デジタル共用チューナ２が設けられている。ここで、アナログ／デジタル共用チューナ２には、デジタル方式のテレビジョン放送およびアナログ方式のテレビジョン放送の信号を増幅するローノイズアンプ２ａ、第１局部発振信号を生成する第１局部発振器２ｃおよび第１局部発振信号を搬送周波数信号に混合することにより、搬送周波数信号を第１中間周波信号に変換する第１混合器２ｂが設けられている。
【００２０】
また、受信装置には、アナログ／デジタル共用チューナ２の後段に接続され、アナログ方式のテレビジョン信号に対応して減衰特性が設定されたアナログ用ＳＡＷフィルタ３、第２局部発振信号を生成する第２局部発振器１４、アナログ用ＳＡＷフィルタ３を通過したデジタル方式のテレビジョン信号の第１中間周波信号に第２局部発振信号を混合することにより、第１中間周波信号を第２中間周波信号に変換する第２混合器５、第２混合器５にて処理されたデジタル方式のテレビジョン信号のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調処理を行うＯＦＤＭ復調部６、ＭＰＥＧ（Ｍｏｖｉｎｇ  Ｐｉｃｔｕｒｅ  Ｅｘｐｅｒｔｓ  Ｇｒｏｕｐ）方式による復調処理を行うＭＰＥＧ復調部７、アナログ用ＳＡＷフィルタ３を通過したアナログ方式のテレビジョン信号の検波処理を行う検波回路８、テレビジョン放送の音声を出力するスピーカ１２、テレビジョン放送の映像を表示するディスプレイ１３、アナログ用ＳＡＷフィルタ３との接続を第２混合器５または検波回路８に切り替えるスイッチ４、スピーカ１２への接続をＭＰＥＧ復調部７と検波回路８との間で切り替えるスイッチ１０、ディスプレイ１３への接続をＭＰＥＧ復調部７と検波回路８との間で切り替えるスイッチ１１およびスイッチ４、１０、１１の切り替え制御を行う制御部９が設けられている。
【００２１】
ここで、アナログ／デジタル共用チューナ２は、同一チャンネルについて中心周波数を一定に維持したまま、アナログ方式のテレビジョン信号およびデジタル方式のテレビジョン信号の選局を共通に行うことができる。また、デジタル方式のテレビジョン信号の受信帯域は、アナログ用ＳＡＷフィルタ３の通過帯域の一部に対応させることができ、例えば、地上デジタル放送の１〜３セグメント分に対応させることができる。
【００２２】
そして、アナログ方式のテレビジョン信号を受信する場合、制御部９は、検波回路８側にスイッチ４、１０、１１を切り替える。そして、アンテナ１にて受信されたアナログ方式のテレビジョン信号はアナログ／デジタル共用チューナ２に送られる。そして、アンテナ１から送られたＲＦ（Ｒａｄｉｏ  Ｆｒｅｑｕｅｎｃｙ）信号の中から所望のアナログ放送の搬送周波数信号が選択され、そのアナログ放送の搬送周波数信号がローノイズアンプ２ａにて増幅された後、このアナログ放送の搬送周波数信号が局部発振信号と第１混合器２ｂにて混合されることにより、アナログ放送の搬送周波数信号が中間周波信号に変換される。
【００２３】
そして、アナログ／デジタル共用チューナ２にてアナログ放送の搬送周波数信号が中間周波信号に変換されると、アナログ／デジタル共用チューナ２から出力された中間周波信号はアナログ用ＳＡＷフィルタ３に出力される。そして、アナログ用ＳＡＷフィルタ３にて中間周波信号のフィルタ処理が行われ、アナログ放送における隣接チャンネル妨害が除去される。
【００２４】
例えば、アナログ放送の受信チャンネルが１３チャンネルであるとすると、受信中心周波数は４７３ＭＨｚであり、局部発振周波数を５３０ＭＨｚとすると、中間周波信号の中心周波数は５７ＭＨｚとなる。そして、中心周波数が５７ＭＨｚの中間周波信号はそのままアナログ用ＳＡＷフィルタ３に入力され、適切な帯域制限を受けてから、後段で信号処理される。
【００２５】
そして、アナログ用ＳＡＷフィルタ３を通過した中間周波信号はスイッチ４を介して検波回路８に送られ、検波回路８にて検波処理が行われる。そして、検波回路８にて検波された音声信号はスイッチ１０を介してスピーカ１２に送られ、スピーカ１２からテレビジョン放送の音声が出力される。また、検波回路８にて検波された映像信号はスイッチ１１を介してディスプレイ１３に送られ、ディスプレイ１３にてテレビジョン放送の映像が表示される。
【００２６】
一方、デジタル方式のテレビジョン信号を受信する場合、制御部９は、第２混合器５側にスイッチ４を切り替えるとともに、ＭＰＥＧ復調部７側にスイッチ１０、１１を切り替える。そして、アンテナ１にて受信されたデジタル方式のテレビジョン信号はアナログ／デジタル共用チューナ２に送られる。そして、アンテナ１から送られたＲＦ信号の中から所望のデジタル放送の搬送周波数信号が選択され、そのデジタル放送の搬送周波数信号がローノイズアンプ２ａにて増幅された後、このデジタル放送の搬送周波数信号が局部発振信号と第１混合器２ｂにて混合されることにより、デジタル放送の搬送周波数信号が中間周波信号に変換される。ここで、第１局部発振器２ｃは、デジタル放送の受信チャンネルがアナログ放送の受信チャンネルと同じ場合、デジタル放送受信時の局部発振周波数をアナログ放送受信時の局部発振周波数と同一に設定することができる。
【００２７】
そして、アナログ／デジタル共用チューナ２にてデジタル放送の搬送周波数信号が中間周波信号に変換されると、アナログ／デジタル共用チューナ２から出力された第１中間周波信号はアナログ用ＳＡＷフィルタ３に出力される。そして、アナログ用ＳＡＷフィルタ３にて第１中間周波信号のフィルタ処理が行われ、デジタル放送における隣接チャンネル妨害が除去される。
【００２８】
例えば、デジタル方式のテレビジョン信号を受信する場合、受信チャンネルが１３チャンネルであるとすると、受信中心周波数は４７３＋１／７ＭＨｚ（略４７３．１４２９ＭＨｚ）であり、局部発振周波数をアナログ放送受信時と共通の５３０ＭＨｚとすると、第１中間周波信号の中心周波数は略５６．８５７１ＭＨｚとなる（なお、局部発振周波数を略５３０．１４２９ＭＨｚとすると、第１中間周波信号の中心周波数は５７ＭＨｚとなる。）。ここで、受信セグメントが３セグメント分の場合、その受信帯域が略１．３ＭＨｚであるから、第１中間周波信号の周波数帯域は略５６．２０７１〜略５７．５０７１ＭＨｚとなり、アナログ用ＳＡＷフィルタ３の減衰／位相特性の平坦部分を通過させることができる。受信セグメントが１セグメント分の場合にも、その受信帯域が略４３０ＫＨｚとさらに狭くなるため、アナログ用ＳＡＷフィルタ３の減衰／位相特性の平坦部分を通過させることができる。
【００２９】
そして、アナログ用ＳＡＷフィルタ３を通過した第１中間周波信号はスイッチ４を介して第２混合器５に送られ、第１中間周波信号に第２局部発振信号が混合されることにより、第１中間周波信号が第２中間周波信号に変換される。
そして、第１中間周波信号が第２中間周波信号に変換されると、第２中間周波信号はＯＦＤＭ復調部６に送られ、ＯＦＤＭ復調部６にて復調処理が行われる。そして、ＯＦＤＭ復調部６にて復調されたデジタル信号はＭＰＥＧ復調部７に送られ、ＭＰＥＧ復調部７にて映像信号および音声信号に復調される。そして、ＭＰＥＧ復調部７にて復調された音声信号はスイッチ１０を介してスピーカ１２に送られ、スピーカ１２からテレビジョン放送の音声が出力される。また、ＭＰＥＧ復調部７にて復調された映像信号はスイッチ１１を介してディスプレイ１３に送られ、ディスプレイ１３にてテレビジョン放送の映像が表示される。
【００３０】
これにより、デジタル放送受信時に選局用の局部発振周波数をシフトさせることなく、アナログテレビジョン放送とデジタルテレビジョン放送との両者を受信することが可能となる。このため、アナログテレビジョン放送とデジタルテレビジョン放送の選局システムを共通化することができ、アナログテレビジョン放送とデジタルテレビジョン放送との両者を受信できるようにした場合においても、回路規模の増大を抑制することが可能となる。また、１４チャンネル以上を受信する場合には、６ＭＨｚステップの簡単な選局システムを用いることができる。
【００３１】
さらに、デジタル用ＳＡＷフィルタをアナログ用ＳＡＷフィルタ３と共通化することにより、アナログテレビジョン放送とデジタルテレビジョン放送との両者を受信できるようにした場合においても、ＩＦ段のＳＡＷフィルタを１個で済ますことができ、サイズ、質量およびコストを削減することができる。
ここで、デジタル方式のテレビジョン信号の受信帯域は、アナログ用ＳＡＷフィルタ３の通過帯域の一部に対応するように設定することが好ましい。これにより、デジタル方式のテレビジョン信号についてのフィルタ処理を行う際に、アナログ用ＳＡＷフィルタ３の位相特性の平坦な部分を用いることができる。このため、アナログ用ＳＡＷフィルタ３の位相特性の一部分に乱れがある場合においても、デジタル方式のテレビジョン信号の特性が劣化することを抑制することができ、デジタル用ＳＡＷフィルタをアナログ用ＳＡＷフィルタ３と共通化することができる。
【００３２】
図２は、図１のアナログ用ＳＡＷフィルタ３の減衰特性および位相特性を示す図である。
図２において、例えば、日本仕様の場合、アナログ用ＳＡＷフィルタ３の全体の通過帯域幅は約６ＭＨｚである。そして、音声信号が映像信号に及ぼす影響を軽減するために、アナログ用ＳＡＷフィルタ３の減衰特性Ｆ１は、５８．７５ＭＨｚの映像キャリアに対して、５４．２５ＭＨｚの音声キャリアが２０ｄＢ程度減衰されるように設定されている。
【００３３】
ここで、映像キャリアに対して音声キャリアが減衰されるような減衰特性Ｆ１をアナログ用ＳＡＷフィルタ３に持たせると、音声キャリアの周波数の付近で位相特性Ｆ２に乱れが生じるが、アナログ信号の場合では、品位はほとんど劣化することはない。また、減衰特性Ｆ１および位相特性Ｆ２が平坦となる部分Ｗは３ＭＨｚ程度確保することができる。
しかし、例えば、地上デジタル放送に対応した移動体通信では、１３個あるセグメントのうち１〜３セグメント分が用いられる。このため、地上デジタル放送の帯域は略４３０ＫＨｚから略１．３ＭＨｚとなり、地上デジタル放送の帯域をアナログＳＡＷフィルタ３の位相特性Ｆ１の平坦な部分Ｗ１に収めることができる。この結果、地上デジタル放送の帯域をアナログＳＡＷフィルタ３の位相特性Ｆ１の平坦な部分Ｗ１に対応させることが可能となり、デジタル用ＳＡＷフィルタをアナログ用ＳＡＷフィルタ３と共通化した場合においても、デジタル方式のテレビジョン信号の特性が劣化することを抑制することができる。
【００３４】
図３は、本発明の第２実施形態に係る受信装置の概略構成を示すブロック図である。
図３において、受信装置には、デジタル方式のテレビジョン放送およびアナログ方式のテレビジョン放送の電波を受信するアンテナ２１、アナログ方式のテレビジョン信号およびデジタル方式のテレビジョン信号の選局を行うアナログ／デジタル共用チューナ２２が設けられている。ここで、アナログ／デジタル共用チューナ２２には、デジタル方式のテレビジョン放送およびアナログ方式のテレビジョン放送の信号を増幅するローノイズアンプ２２ａ、第１局部発振信号を生成する第１局部発振器２２ｃおよび第１局部発振信号を搬送周波数信号に混合することにより、搬送周波数信号を第１中間周波信号に変換する第１混合器２２ｂが設けられている。
【００３５】
また、受信装置には、アナログ／デジタル共用チューナ２２の後段に接続され、デジタル方式のテレビジョン信号に対応して減衰特性が設定されたデジタル用ＳＡＷフィルタ２３、第２局部発振信号を生成する第２局部発振器３４、デジタル用ＳＡＷフィルタ２３を通過したデジタル方式のテレビジョン信号の第１中間周波信号に第２局部発振信号を混合することにより、第１中間周波信号を第２中間周波信号に変換する第２混合器２５、第２混合器２５にて処理されたデジタル方式のテレビジョン信号のＯＦＤＭ復調処理を行うＯＦＤＭ復調部２６、ＭＰＥＧ方式による復調処理を行うＭＰＥＧ復調部２７、アナログ方式のテレビジョン信号の音声キャリアを減衰させる音声トラップ３５、音声トラップ３５を通過したアナログ方式のテレビジョン信号の検波処理を行う検波回路２８、テレビジョン放送の音声を出力するスピーカ３２、テレビジョン放送の映像を表示するディスプレイ３３、デジタル用ＳＡＷフィルタ２３との接続を第２混合器２５または音声トラップ３５に切り替えるスイッチ２４、スピーカ３２への接続をＭＰＥＧ復調部２７と検波回路２８との間で切り替えるスイッチ３０、ディスプレイ３３への接続をＭＰＥＧ復調部２７と検波回路２８との間で切り替えるスイッチ３１およびスイッチ２４、３０、３１の切り替え制御を行う制御部２９が設けられている。
【００３６】
ここで、アナログ／デジタル共用チューナ２２は、同一チャンネルについて中心周波数を一定に維持したまま、アナログ方式のテレビジョン信号およびデジタル方式のテレビジョン信号の選局を共通に行うことができる。また、デジタル方式のテレビジョン信号の受信帯域は、デジタル用ＳＡＷフィルタ２３の通過帯域の一部に対応させることができ、例えば、地上デジタル放送の１〜３セグメント分に対応させることができる。
【００３７】
そして、アナログ方式のテレビジョン信号を受信する場合、制御部２９は、検波回路２８側にスイッチ２４、３０、３１を切り替える。そして、アンテナ２１にて受信されたアナログ方式のテレビジョン信号はアナログ／デジタル共用チューナ２２に送られる。そして、アンテナ２１から送られたＲＦ信号の中から所望のアナログ放送の搬送周波数信号が選択され、そのアナログ放送の搬送周波数信号がローノイズアンプ２２ａにて増幅された後、このアナログ放送の搬送周波数信号が局部発振信号と第１混合器２２ｂにて混合されることにより、アナログ放送の搬送周波数信号が中間周波信号に変換される。
【００３８】
そして、アナログ／デジタル共用チューナ２２にてアナログ放送の搬送周波数信号が中間周波信号に変換されると、アナログ／デジタル共用チューナ２２から出力された中間周波信号はデジタル用ＳＡＷフィルタ２３に出力される。そして、デジタル用ＳＡＷフィルタ２３にて中間周波信号のフィルタ処理が行われ、アナログ放送における隣接チャンネル妨害が除去される。
【００３９】
例えば、アナログ放送の受信チャンネルが１３チャンネルであるとすると、受信中心周波数は４７３ＭＨｚであり、局部発振周波数を５３０ＭＨｚとすると、中間周波信号の中心周波数は５７ＭＨｚとなる。そして、中心周波数が５７ＭＨｚの中間周波信号はそのままデジタル用ＳＡＷフィルタ２３に入力される。
ここで、デジタル用ＳＡＷフィルタ２３は、通過帯域内での減衰特性が平坦であるため、音声信号の映像信号に対する妨害を軽減するための音声トラップ３５を挿入してから、後段で信号処理することができる。なお、音声トラップ３５の減衰量は、略２０ｄＢとすることができる。
【００４０】
すなわち、デジタル用ＳＡＷフィルタ２３を通過した中間周波信号はスイッチ２４を介して音声トラップ３５に送られ、アナログ方式のテレビジョン信号の音声キャリアが減衰される。そして、音声トラップ３５を通過した中間周波信号は検波回路２８に送られ、検波回路２８にて検波処理が行われる。そして、検波回路２８にて検波された音声信号はスイッチ３０を介してスピーカ３２に送られ、スピーカ３２からテレビジョン放送の音声が出力される。また、検波回路２８にて検波された映像信号はスイッチ３１を介してディスプレイ３３に送られ、ディスプレイ３３にてテレビジョン放送の映像が表示される。
【００４１】
一方、デジタル方式のテレビジョン信号を受信する場合、制御部２９は、第２混合器２５側にスイッチ２４を切り替えるとともに、ＭＰＥＧ復調部２７側にスイッチ３０、３１を切り替える。そして、アンテナ２１にて受信されたデジタル方式のテレビジョン信号はアナログ／デジタル共用チューナ２２に送られる。そして、アンテナ２１から送られたＲＦ信号の中から所望のデジタル放送の搬送周波数信号が選択され、そのデジタル放送の搬送周波数信号がローノイズアンプ２２ａにて増幅された後、このデジタル放送の搬送周波数信号が局部発振信号と第１混合器２２ｂにて混合されることにより、デジタル放送の搬送周波数信号が第１中間周波信号に変換される。ここで、第１局部発振器２２ｃは、デジタル放送の受信チャンネルがアナログ放送の受信チャンネルと同じ場合、デジタル放送受信時の局部発振周波数をアナログ放送受信時の局部発振周波数と同一に設定することができる。
【００４２】
そして、アナログ／デジタル共用チューナ２２にてデジタル放送の搬送周波数信号が中間周波信号に変換されると、アナログ／デジタル共用チューナ２２から出力された中間周波信号はデジタル用ＳＡＷフィルタ２３に出力される。そして、デジタル用ＳＡＷフィルタ２３にて第１中間周波信号のフィルタ処理が行われ、デジタル放送における隣接チャンネル妨害が除去される。
【００４３】
例えば、デジタル方式のテレビジョン信号を受信する場合、受信チャンネルが１３チャンネルであるとすると、受信中心周波数は４７３＋１／７ＭＨｚ（略４７３．１４２９ＭＨｚ）であり、局部発振周波数をアナログ放送受信時と共通の５３０ＭＨｚとすると、第１中間周波信号の中心周波数は略５６．８５７１ＭＨｚとなる。ここで、受信セグメントが３セグメント分の場合、その受信帯域が略１．３ＭＨｚであるから、第１中間周波信号の周波数帯域は略５６．２０７１〜略５７．５０７１ＭＨｚとなり、デジタル放送受信時の局部発振周波数をアナログ放送受信時の局部発振周波数と同一に設定した場合においても、デジタル用ＳＡＷフィルタ２３の帯域内に収めることができる。受信セグメントが１セグメント分の場合にも、その受信帯域が略４３０ＫＨｚとさらに狭くなるため、デジタル用ＳＡＷフィルタ２３の帯域内に収めることができる。
【００４４】
そして、デジタル用ＳＡＷフィルタ２３を通過した第１中間周波信号はスイッチ２４を介して第２混合器２５に送られ、第１中間周波信号に第２局部発振信号が混合されることにより、第１中間周波信号が第２中間周波信号に変換される。
そして、第１中間周波信号が第２中間周波信号に変換されると、第２中間周波信号はＯＦＤＭ復調部２６に送られ、ＯＦＤＭ復調部２６にて復調処理が行われる。そして、ＯＦＤＭ復調部２６にて復調されたデジタル信号はＭＰＥＧ復調部２７に送られ、ＭＰＥＧ復調部２７にて映像信号および音声信号に復調される。そして、ＭＰＥＧ復調部２７にて復調された音声信号はスイッチ３０を介してスピーカ３２に送られ、スピーカ３２からテレビジョン放送の音声が出力される。また、ＭＰＥＧ復調部２７にて復調された映像信号はスイッチ３１を介してディスプレイ３３に送られ、ディスプレイ３３にてテレビジョン放送の映像が表示される。
【００４５】
これにより、デジタル放送とアナログ放送とで共通にデジタル用ＳＡＷフィルタ２３を用いた場合においても、デジタル放送受信時に選局用の局部発振周波数をシフトさせることなく、アナログテレビジョン放送とデジタルテレビジョン放送との両者を受信することが可能となる。このため、アナログテレビジョン放送とデジタルテレビジョン放送の選局システムを共通化することができ、アナログテレビジョン放送とデジタルテレビジョン放送との両者を受信できるようにした場合においても、回路規模の増大を抑制することが可能となる。また、１４チャンネル以上を受信する場合には、６ＭＨｚステップの簡単な選局システムを用いることができる。
【００４６】
図４は、図３のデジタル用ＳＡＷフィルタ２３の減衰特性および位相特性を示す図である。
図４において、デジタルＳＡＷフィルタ２３では、例えば、日本仕様の場合、位相特性Ｆ４の変動によるデジタル信号の特性悪化を防止するため、５７ＭＨｚを中心に減衰特性Ｆ３および位相特性Ｆ４とも平坦になるように設定されている。このため、デジタルＳＡＷフィルタ２３をアナログテレビジョン放送受信用に単に用いると、音声信号の映像信号に対する妨害を抑制することができなくなる。このため、デジタルＳＡＷフィルタ２３をアナログテレビジョン放送受信用に用いる場合、検波回路２８の前段に音声トラップ３５を挿入することにより、音声信号の映像信号に対する妨害を抑制することができる。
【００４７】
図５は、図３の音声トラップ３５を含むデジタル用ＳＡＷフィルタ２３の減衰特性を示す図である。
図５において、検波回路２８の前段に音声トラップ３５を挿入することにより、５８．７５ＭＨｚの映像キャリアに対して、５４．２５ＭＨｚの音声キャリアが２０ｄＢ程度減衰されるように設定することができ、デジタルＳＡＷフィルタ２３をアナログテレビジョン放送受信用に用いた場合においても、音声信号の映像信号に対する妨害を抑制することができる。
【図面の簡単な説明】
【００４８】
【図１】本発明の第１実施形態に係る受信装置の概略構成を示すブロック図。
【図２】図１のアナログ用ＳＡＷフィルタ３の減衰特性および位相特性を示す図。
【図３】本発明の第２実施形態に係る受信装置の概略構成を示すブロック図。
【図４】図３のデジタル用ＳＡＷフィルタ２３の減衰特性および位相特性を示す図。
【図５】図３の音声トラップ３５を含むデジタル用ＳＡＷフィルタ２３の減衰特性および位相特性を示す図。
【符号の説明】
【００４９】
１、２１  アンテナ、２、２２  アナログ／デジタル共用チューナ、２ａ、２２ａ  ローノイズアンプ、２ｂ、２２ｂ  第１混合器、２ｃ、２２ｃ  第１局部発振器、３  アナログ用ＳＡＷフィルタ、４、１０、１１、２４、３０、３１  スイッチ、５、２５  第２混合器、６、２６  ＯＦＤＭ復調部、７、２７  ＭＰＥＧ復調部、８、２８  検波回路、９、２９  制御部、１２、３２  スピーカ、１３、３３  ディスプレイ、１４、３４  第２局部発振器、２３  デジタル用ＳＡＷフィルタ、３５  音声トラップ
【図１】
2007082053.tif 000003
【図２】
2007082053.tif 000004
【図３】
2007082053.tif 000005
【図４】
2007082053.tif 000006
【図５】
2007082053.tif 000007